(57)【要約】【課題】  意匠性に優れさらに周面の損傷防止能力に優れる竿体を提供する。【解決手段】  この釣竿の元竿１は、プリプレグ素材からなる管状の竿本体１ａと、竿本体１ａの周面に形成される意匠層１０と、意匠層１０の周面に軸長方向に間隔を隔てて螺旋状に巻回される糸材１１と、意匠層１０及び糸材１１の周面に塗布されて形成されるクリア層１２とを備える。例えば、意匠層１０は窒化金属の物理蒸着により形成する。糸材１１は軸長方向に１ｍｍ程度の間隔を隔てて螺旋状に巻回される。【選択図】      図２
2005210996.tif 000002
【特許請求の範囲】
【請求項１】
魚釣りに用いる釣竿を構成する竿体であって、
管状の竿本体と、
前記竿本体の周面に形成される意匠層と、
前記意匠層の周面に軸長方向に間隔を隔てて螺旋状に巻回される糸材と、
前記意匠層及び糸材の周面に塗布されて形成されるクリア層とを備えた、竿体。
【請求項２】
前記クリア層の周面に取り付けられた釣糸ガイドをさらに備え、
前記糸材は軸長方向に間隔を隔てて螺旋状に巻回される粗な領域と、軸長方向に隙間無く螺旋状に密に巻回される密な領域とを形成するように前記意匠層の周面に巻回され、
前記釣糸ガイドは前記密な領域にその脚部が載置され巻糸でさらに巻回されて、前記クリア層の周面に取り付けられている、竿体。
【請求項３】
前記竿体は釣竿の最も竿元側に位置する元竿であり、
前記糸材は前記元竿たる竿体の穂先側の周面に巻回されている、請求項２に記載の竿体。
【請求項４】
前記竿体は釣竿の竿元側から２番目に位置する元上竿であり、
前記糸材は前記元上竿たる竿体の竿元側からその軸長方向中央付近にかけての周面に巻回されている、請求項２に記載の竿体。
【請求項５】
前記意匠層は金属窒化物若しくは金属酸化物を物理蒸着させて形成されている、請求項１〜４の何れかに記載の竿体。
【請求項６】
前記糸材は、チタン線，ザイロン，ナイロン，PBO，綿からなる群より選択される、請求項５に記載の竿体。
【発明の詳細な説明】
【技術分野】
【０００１】
本発明は、魚釣りに用いる釣竿を構成する竿体に関する。
【背景技術】
【０００２】
近時の釣竿を構成する管状体である竿体は、一般に、炭素繊維などの強化繊維に合成樹脂を含浸させたプリプレグ素材を焼成して製造されている。このような素材を利用することで、物理的・機械的強度と軽量化とを図っている。しかし、釣竿は岩場等の過酷な状況で用いられるものであり、岩や石砂その他の障害物に曝され易く、その周面は傷つきやすい。そこで、竿体の表面を保護するために、それらの周面にはウレタン樹脂等によるクリアコート等が施されている。
【０００３】
もっとも、このようなクリアコートのみでは十分に竿体周面の損傷を防止し得えず、さらなる改良が必要であるという問題意識から、さらに、ナイロン繊維などからなる糸を竿体の周面に巻回して、その上からウレタン樹脂等でコーティングすることも提案されている。例えば、本件出願人はこのような糸を巻回するに当たって、撚りを加えたフィラメント糸を利用し、耐久性を向上させることも提案した（特許文献１参照）。
【０００４】
ところで、近時の竿体はその意匠性を高めるべく様々な模様・色彩が付与されている。その模様・色彩の付与手法には様々なものがあり、例えば、塗料を塗布する手法や、金属化合物をスパッタリング，真空蒸着，イオンプレーティングなど物理蒸着させる手法などが知られている。そして、このような種々の模様・色彩を施した竿体においても、その周面保護のためにクリアコート等が施されている。
【０００５】
しかし、上述のようにクリアコート以上の改良が必要として、機械的にこの周面に糸を巻回すれば、せっかく竿体の周面に施した模様色彩が糸によって隠れてしまう。また、前述の特許文献１においても指摘するように、竿体の周面に巻き付けた糸をウレタン樹脂等でコーティングするにおいては、糸と樹脂とが馴染み難く、糸の固定性・安定性に欠ける。
【特許文献１】特開2001-128592号公報
【発明の開示】
【発明が解決しようとする課題】
【０００６】
本発明は意匠性に優れさらに周面の損傷防止能力に優れる竿体を提供するものである。
【課題を解決するための手段】
【０００７】
本発明に係る竿体は、魚釣りに用いる釣竿を構成する竿体であって、管状の竿本体と、竿本体の周面に形成される意匠層と、意匠層の周面に軸長方向に間隔を隔てて螺旋状に巻回される糸材と、意匠層及び糸材の周面に塗布されて形成されるクリア層とを備えている。
【０００８】
ここでは、軸長方向に間隔を隔てて糸材が竿体乃至意匠層の周面を覆っており、この糸材及びクリア層が竿本体及びその周面の意匠層を保護している。糸材は軸長方向に間隔を隔てて意匠層の周面に巻回されており、意匠層を完全に覆い隠してしまうことはない。また、クリア層を形成するための合成樹脂が、糸材同士の間隔に入り込み糸材に対して馴染み易く、糸材の竿本体乃至意匠層への固定を安定させている。
【０００９】
また、本発明においては、その竿体がクリア層の周面に取り付けられた釣糸ガイドをさらに備えたものとしてもよい。この場合、糸材は軸長方向に間隔を隔てて螺旋状に巻回される粗な領域と、軸長方向に隙間無く螺旋状に密に巻回される密な領域とを形成するように意匠層の周面に巻回される。そして、釣糸ガイドは密な領域にその脚部が載置され巻糸でさらに巻回されて、クリア層の周面に取り付けられている。
【００１０】
このような構造を採用すれば、釣糸ガイドの脚部が釣糸からの力を受けて微妙に動いても意匠層を傷つけることがない。また、釣糸ガイド装着用の領域設定作業と意匠層保護作業とを連続して行うことが可能となり、製造性にも優れる。
【００１１】
例えば、本発明に係る竿体は釣竿の最も竿元側に位置する元竿として使用される。この場合には、糸材は元竿たる竿体の穂先側の周面に巻回する。元竿の中で最も障害物にぶつかり易い穂先側の周面に糸材を巻回することで、他の領域の意匠層による意匠性を損なうことがない。また、本発明に係る竿体は釣竿の竿元側から２番目に位置する元上竿として使用してもよい。この場合には、糸材は元上竿たる竿体の竿元側からその軸長方向中央付近にかけての周面に巻回される。
【００１２】
本発明の竿体の意匠層は、例えば、金属窒化物若しくは金属酸化物を物理蒸着させて形成されている。このような物理蒸着層は岩や石砂等による引っ掻き傷が生じ易い。そこで、糸材乃至クリア層を利用することで、良好な意匠性を維持しつつ表面の損傷を防止できる。
【００１３】
なお、ここで用いる糸材は、例えば、チタン線，ザイロン，ナイロン，PBO，綿からなる群より選択するのが好ましい。
【発明の効果】
【００１４】
本発明の竿体は、意匠性に優れ、且つ、表面の損傷を十分に防止できる。
【発明を実施するための最良の形態】
【００１５】
以下、本発明の１つの実施形態について、図面を参照しつつ説明する。
【００１６】
本発明の一実施形態を採用した釣竿は、図１に示すように、最も竿元側に位置する元竿１と、元竿１の穂先側に順次連結される、元上竿２，中竿３，穂先竿４との４本の竿体から構成されている。
【００１７】
（元竿１について）
元竿１は、炭素繊維等の強化繊維に合成樹脂を含浸させたプリプレグ素材を焼成した管状体である竿本体１ａから主に構成されている（図２参照）。そして、元竿１は、竿元側の周面にリール（図示せず）を脱着自在に装着可能なリールシート５と、竿元側端部に形成された扁平部６とを有している。扁平部６は、竿本体１ａとは別個に形成される金属，合成樹脂若しくは木材などから形成される部位であり、釣人が腹部に当てる等して利用する部分である。
【００１８】
図２に詳しく示すように、元竿１の竿本体１ａの周面には、意匠層１０が積層されている。また、特に、元竿１の竿本体１ａの穂先側に周面には、さらに意匠層１０の周面に糸材１１が巻回され、さらに、クリア層１２が形成されている。そして、元竿１の穂先側端部には釣糸ガイド７が装着されている。
【００１９】
意匠層１０は、例えば、下地層，窒化クロム層，保護クリア層を順次積層してなる。下地層は、エポキシ系樹脂等を竿本体１ａの周面に塗布して形成するものである。所定の樹脂を竿本体１ａの周面に塗布し、その周面を平滑化し鏡面化させている。この下地層を形成した後に、その周面に窒化クロムを物理蒸着させて窒化クロム層を形成する。物理蒸着の手法としては、スパッタリング，真空蒸着，イオンプレーティング等の手法を採用できるが、好ましくはスパッタリングを採用する。このようにスパッタリングによって窒化クロム層を形成した後に、その周面に透明若しくは半透明のポリウレタン等によって保護クリア層を形成しておく。この保護クリア層は竿本体１ａの全周面に形成されている窒化クロム層３の全周面に積層されている。
【００２０】
なお、この意匠層１０は窒化クロムを利用したケースを示しているが、その他、酸化チタンやその他の金属窒化物，金属酸化物を竿本体に物理蒸着させて、意匠層を形成してもよい。また、物理蒸着手法に限定されず、単に塗料を塗布して意匠層を形成することも当然に可能である。
【００２１】
このような意匠層１０の周面の中で、特に、穂先側の周面には糸材１１が巻回されている。例えば、元竿１の軸長方向の全長が１０００ｍｍ程度とすると、糸材１１はその穂先側から３００ｍｍ程度の領域において巻回されている。糸材１１は、例えば、チタン線，ザイロン，ナイロン，PBO，綿からなる群より選択される。そして、糸材１１は、詳しくは、元竿１の穂先側から軸長方向において隙間なく密に螺旋状に巻回される第１の密部分Ｘ１，その竿元側において軸長方向に間隔を隔てつつ粗に螺旋状に巻回される第１の粗部分Ｙ１，その竿元側において再度隙間無く密に螺旋状に巻回される第２の密部分Ｘ２，その竿元側の第２の粗部分Ｙ２，その竿元側の第３の密部分Ｘ３，その竿元側の第３の粗部分Ｙ３，さらにその竿元側の第４の密部分Ｘ４との領域に区分できる（図３参照）。元竿１の穂先側の端部には金属若しくは合成樹脂からなる保護リング２０を別途装着してもよい。
【００２２】
これらの領域は、連続的に糸材１１をその巻回態様を変化させながら形成されている（図４（ａ）参照）。この第１の密部分Ｘ１及び第４の密部分Ｘ４は、糸材１１の巻回する両端を特に保護するために形成する。第２の密部分Ｘ２及び第３の密部分Ｘ３は、後述のように、釣糸ガイド７を装着するために形成する。密な領域における糸材１１の巻回程度は、その隙間を１ｍｍ程度とするのが好ましい。このように巻回されている糸材１１の周面は、さらにエポキシ樹脂等によりコーティングされておりクリア層１２が形成される。
【００２３】
上述の糸材１１の第２の密部分Ｘ２及び第３の密部分Ｘ３の周面（詳しくは、それぞれの領域のクリア層１２の周面）には、釣糸ガイド７の脚部が載置される。釣糸ガイド７は、金属等を折り曲げ加工したフレームにセラミックス等からなる硬質リングがはめ込まれたものである。フレームの両端が第２の密部分Ｘ２及び第３の密部分Ｘ３に載置される。そして、載置したフレームと共に糸材１１乃至竿本体１を覆うようにして、さらに固定糸２１が密部分Ｘ２及び第３の密部分Ｘ３の周面に巻回される（図４（ｂ）参照）。この固定糸２１は上述の糸材１１と同種のものを用いても良い。そして、この固定糸２１の周面には、さらに、固定糸２１の固着のための樹脂コーティングが施される。
【００２４】
（元上竿２について）
元上竿２も、元竿１と同様に所定のプリプレグ素材を焼成した管状体である竿本体からなる。図１に示すように、竿元側端部には元竿１との連結のための連結部２２が取り付けられている。ここでは、いわゆる「インロー継ぎ」タイプの釣竿を例示しており、連結部２２はインロー芯である。その他、「並継ぎ」タイプの釣竿とすることも当然に可能である。
【００２５】
この元上竿２の竿本体の周面も、上記元竿１と同様に、意匠層が積層されている。そして、特に、元上竿２の竿元側から軸長方向中央付近の周面にかけては、元上竿２と同様にして糸材１１が巻回されている。例えば、図１において示す元上竿２においては、２カ所において釣糸ガイド７を配置するように糸材１１を巻回した例を示す。上述の元竿１の場合と同様にして、その巻回態様を軸長方向において部分的に変化させながら糸材１１を巻回している。密な巻回部分に釣糸ガイドの脚部を載置する点も同様である。
【００２６】
（他の竿体について）
中竿３及び穂先竿４も、元竿１と同様に所定のプリプレグ素材を焼成した管状体である竿本体からなる。そして、上述の元上竿２と同様に、竿元側端部には他の竿体との連結のための連結部が取り付けられている。
【００２７】
これらの中竿３及び穂先竿４の竿本体の周面も、上記元竿１と同様に、意匠層が積層されている。もっとも、これらの竿本体の周面には、元竿１及び元上竿２のような態様では糸材１１は巻回されていない。これらの竿本体の周面にも軸長方向に間隔を隔てて複数の釣糸ガイド７が装着される。なお、この釣糸ガイド７の竿本体へ取り付けに当たっても、まず、竿本体の所定の周面に糸材を巻回してから釣糸ガイド７の脚部を糸材上に載置し、さらに、固定糸で巻回してもよい。
【００２８】
このように構成される各竿体は、使用時において連結され一本の釣竿となる。そして、釣人は、リールシート５にリールを装着し、リールからの釣糸を順次各釣糸ガイド７に通して穂先側へと導き、釣りをおこなうことになる。
【００２９】
このような釣竿では、釣りをおこなう際に、特に、岩や石砂等に当ててしまい易い軸長方向の領域において、軸長方向に間隔を隔てて糸材１１が元竿１及び元上竿２の周面を覆っており、この糸材１１及びクリア層１２が竿本体や意匠層１０を保護している。糸材１１は軸長方向に間隔を隔てて意匠層１０の周面に巻回されており、意匠層１０を完全に覆い隠してしまうこともなく、意匠層１０の意匠性を維持している。さらに、間隔を隔てた糸材１１がその模様を形成して意匠性を付与している。また、このような間隔を隔てた糸材１１に対しては、クリア層１２を形成するためのウレタン樹脂等が、糸材１１同士の間隔に入り込み糸材１１に対して馴染み易く、糸材１１の意匠層１０への固定を安定させている。さらにまた、この実施形態においては、特に、糸材１１を利用して密部分を形成し、釣糸ガイド７をその上に載置しているので、釣糸ガイド７の脚部が釣糸からの力を受けて微妙に動いても意匠層１０を傷つけることがない。また、釣糸ガイド装着用の領域設定作業と意匠層保護作業とを連続して行うことが可能となり、製造性にも優れる。
【００３０】
なお、この実施形態においては、元上竿２と元竿１の特定の領域につき糸材１１を巻回しているが、各竿体の全面に糸材１１を軸長方向に間隔を隔てつつ巻回することも可能である。
【図面の簡単な説明】
【００３１】
【図１】本発明の１つの実施形態を採用した釣竿を示した図。
【図２】図１の釣竿の元竿１の拡大断面図。
【図３】図１の釣竿の元竿１の穂先側の参考図。
【図４】糸材１１等の巻回工程を示した図。
【符号の説明】
【００３２】
１  元竿
２  元上竿
３  中竿
４  穂先竿
７  釣糸ガイド
１ａ  竿本体
１０  意匠層
１１  糸材
１２  クリア層
２１  固定糸
Ｘ  糸材１１の密な領域
Ｙ  糸材１１の粗な領域
【図１】
2005210996.tif 000003
【図２】
2005210996.tif 000004
【図３】
2005210996.tif 000005
【図４】
2005210996.tif 000006